(57)【要約】【課題】基地局周辺の無線電波状態情報を３Ｄ情報として直感的に把握すること。【解決手段】基地局無線電波状態表示システム１は、基地局の位置情報を含む基地局情報データベース２０、基地局周辺の無線電波状態を表現するためのシミュレーション基本画像情報を格納するシミュレーション画像データベース３０、基地局周辺の無線電波状態を３Ｄ地形表示する基地局無線電波状態画像を生成する動的画像生成サーバ５０を備え、表示範囲を画定する表示範囲情報を取得し、表示範囲情報および基地局の位置情報を含む基地局情報に基づいて表示範囲に含まれる基地局を特定し、特定された基地局周辺の無線電波状態のシミュレーション基本画像情報を取得し、表示範囲情報およびシミュレーション基本画像情報に基づいて、画像表示範囲に含まれる基地局の周辺における無線電波状態を表現する基地局無線電波状態画像を生成・出力する。【選択図】図１
2018025917.tif 000002
【特許請求の範囲】
【請求項１】
基地局の位置情報を含む基地局情報データベースと、
基地局周辺の無線電波状態を表現するためのシミュレーション基本画像情報を格納するシミュレーション画像データベースと、
基地局周辺の無線電波状態を３Ｄ地形表示する基地局無線電波状態画像を生成する動的画像生成サーバと、
を備え、
前記動的画像生成サーバは、
表示範囲を画定する表示範囲情報を取得し、
前記表示範囲情報および基地局の位置情報を含む基地局情報に基づいて前記表示範囲に含まれる基地局を特定し、
特定された前記基地局周辺の無線電波状態のシミュレーション基本画像情報を取得し、
前記表示範囲情報および前記シミュレーション基本画像情報に基づいて、前記表示範囲に含まれる基地局の周辺における無線電波状態を表現する基地局無線電波状態画像を生成し、
生成した前記基地局無線電波状態画像を出力する、
基地局無線電波状態表示システム。
【請求項２】
前記動的画像生成サーバは、パフォーマンスデータベースからパフォーマンスデータを取得・格納するためのパフォーマンス専用データベースを備える、請求項１に記載の基地局無線電波状態表示システム。
【請求項３】
前記動的画像生成サーバは、前記基地局情報から一部の情報を収集して出力可能に構成されている、請求項１または２に記載の基地局無線電波状態表示システム。
【請求項４】
基地局の無線電波状態を３Ｄ地形表示する基地局無線電波状態表示方法であって、
表示範囲を画定する表示範囲情報を取得するステップと、
前記表示範囲情報および基地局の位置情報を含む基地局情報に基づいて前記表示範囲に含まれる基地局を特定するステップと、
特定された前記基地局周辺の無線電波状態のシミュレーション基本画像情報を取得するステップと、
前記表示範囲情報および前記シミュレーション基本画像情報に基づいて、前記表示範囲に含まれる基地局周辺における無線電波状態を表現する基地局無線電波状態画像を生成するステップと、
生成した前記基地局無線電波状態画像を出力するステップと、
を有する基地局無線電波状態表示方法。
【発明の詳細な説明】
【技術分野】
【０００１】
本発明は、三次元（３Ｄ）地形表示プラットホームにおいて利用され、基地局周辺の電波状況、見通しの有無、アンテナ情報等を把握する基地局無線電波状態表示システムおよび基地局無線電波状態表示方法に関する。
【背景技術】
【０００２】
道路、建物。地形などの地物を３次元的に表示した２次元画像としての地物データを予め用意し、このデータに基づいて３次元地形を表示する３Ｄ地形表示プラットホームが知られている。インターネット上で利用可能な３Ｄ地形表示プラットホームとしては、例えば、Ｇｏｏｇｌｅ（商標）社が提供するグーグルアース（Ｇｏｏｇｌｅ  Ｅａｒｔｈ  ＰＲＯ）（商標）が挙げられる。
【０００３】
このような３Ｄ地形表示プラットホームに関連する技術として、例えば、地物を３次元的に表現した３次元地図と該３次元地図中の特定の位置を表す位置表示とを重畳して表示する３次元地図表示システムが開示されている（特許文献１参照）。具体的には、当該３次元地図表示システムは、所定の投影方法によって前記地物を平面上に投影した２次元表示データとしての地物データと、所定以上の高さにある前記地物を前記投影方法によって平面上に投影した２次元のマスク画像を表すマスクデータとを格納する地図データベースと、３次元地図を表示すべき範囲の指定を入力する表示範囲入力部と、前記地図データベースから前記指定に対応した地物データを読み込んで３次元地図を表示する表示制御部とを備え、前記表示制御部は、前記特定の位置の３次元座標を前記投影方法で投影することにより前記３次元地図内における表示用座標値を求め、前記表示用座標値に所定形状の前記位置表示を行った場合に、該位置表示のうち前記地物によって遮蔽されずに視認できる部分に相当する可視形状を前記マスクデータに基づいて特定するマスク処理を実行し、前記３次元地図に重畳して前記可視形状で前記位置表示を行う。
【先行技術文献】
【特許文献】
【０００４】
【特許文献１】特開２０１３−１６１４６５公報
【発明の概要】
【発明が解決しようとする課題】
【０００５】
ところで、無線基地局の電波伝搬シミュレーション・検討・不具合解析を行うには、アンテナの位置・向き・角度・距離や見通し、高層ビルの影響等の把握は非常に重要である。
【０００６】
しかし現在、世の中に利用されている電波伝搬シミュレーションツールは、２次元（２Ｄ)のトップビュー視点である。また、市販されている３Ｄ対応シミュレータや地図データは、非常に高額である。したがって、２Ｄの電波伝搬シミュレーションツールは、高さや角度といった２Ｄでは数値でしか把握できない要因が多く、周辺建物の状況把握や解析において多くの時間や人手を必要とした。
【０００７】
そこで本発明は、上記課題に鑑み、３Ｄ地形表示プラットホームを利用して、基地局周辺の無線電波状態情報を３Ｄ情報として直感的に把握することができる画像技術を提供することを目的とする。
【課題を解決するための手段】
【０００８】
上記目的を達成するために本発明に係る基地局無線電波状態表示システムは、基地局の位置情報を含む基地局情報データベースと、基地局周辺の無線電波状態を表現するためのシミュレーション基本画像情報を格納するシミュレーション画像データベースと、基地局周辺の無線電波状態を３Ｄ地形表示する基地局無線電波状態画像を生成する動的画像生成サーバと、を備え、前記動的画像生成サーバは、表示範囲を画定する表示範囲情報を取得し、前記表示範囲情報および基地局の位置情報を含む基地局情報に基づいて前記表示範囲に含まれる基地局を特定し、特定された前記基地局周辺の無線電波状態のシミュレーション基本画像情報を取得し、前記表示範囲情報および前記シミュレーション基本画像情報に基づいて、前記表示範囲に含まれる基地局の周辺における無線電波状態を表現する基地局無線電波状態画像を生成し、生成した前記基地局無線電波状態画像を出力する。
【０００９】
前記動的画像生成サーバは、パフォーマンスデータベースからパフォーマンスデータを取得・格納するためのパフォーマンス専用データベースを備えることが好ましい。
【００１０】
また前記動的画像生成サーバは、前記基地局情報から一部の情報を収集して出力可能に構成されていることが好ましい。
【００１１】
さらに本発明に係る基地局無線電波状態表示方法は、基地局の無線電波状態を３Ｄ地形表示する基地局無線電波状態表示方法であって、表示範囲を画定する表示範囲情報を取得するステップと、前記表示範囲情報および基地局の位置情報を含む基地局情報に基づいて前記表示範囲に含まれる基地局を特定するステップと、特定された前記基地局周辺の無線電波状態のシミュレーション基本画像情報を取得するステップと、前記表示範囲情報および前記シミュレーション基本画像情報に基づいて、前記画像表示範囲に含まれる基地局周辺における無線電波状態を表現する基地局無線電波状態画像を生成するステップと、生成した前記基地局無線電波状態画像を出力するステップと、を有する。
【発明の効果】
【００１２】
本発明によれば、３Ｄ地形表示プラットホームとともに利用されることにより、基地局周辺の無線電波状態情報を３Ｄ情報として直感的に把握可能な画像が提供される。
【図面の簡単な説明】
【００１３】
【図１】本発明の実施形態に係る基地局無線電波状態表示システムのシステム図。
【図２】基地局情報データ表示例。
【図３】シミュレーション画像データ表示例。
【図４】電波のベストエリア範囲。
【図５】ＬＴＥ項目の表示可能ＫＰＩデータ例。
【図６】ＷＣＤＭＡ(登録商標)項目の表示可能ＫＰＩデータ例。
【図７】ＬＴＥ項目のＫＰＩデータの数値表示例。
【図８】ＬＴＥ項目のＫＰＩデータのグラフ表示例。
【図９】本実施形態に係る基地局無線電波状態表示方法のフローチャート。
【図１０】クレーム位置の特定例。
【図１１】ストリートビューの表示例。
【図１２】多数の勢力エリアを動的に生成した例。
【図１３】音声切断の多発位置の特定例。
【図１４】ＮＣｅｌｌ地図出力機能の実行例。
【図１５】Ｎｅｉｇｈｂｏｕｒセル設計のリレーションの可視化例。
【図１６】ＮＣｅｌｌ一覧表示の実行例。
【図１７】Ｎｅｉｇｈｂｏｕｒ設定データ例。
【図１８】ＣＳＶダウンロード例。
【発明を実施するための形態】
【００１４】
以下に本発明の実施形態を説明する。以下の図面の記載において、同一または類似の部分には同一または類似の符号で表している。本発明の技術的範囲は、当該実施形態に限定して解するべきではない。
【００１５】
＜システム全体構成＞
図１に本実施形態に係る基地局無線電波状態表示システムのシステム図を示す。図１に示すように、本実施形態に係る基地局無線電波状態表示システム１は、公共に提供されている３Ｄ地形表示プラットフォーム１１に対して機能を付加するように構成されている。基地局無線電波状態表示システム１は、情報機密性の高い社内システムであり、通信経路が認証や暗号化により保護された内部ネットワーク１２を介して、端末装置１０から接続し内部のリソースを利用することが可能になっている。
【００１６】
端末装置１０は、施設管理者により操作されるタブレットやスマートフォンなどの携帯型情報端末である。端末装置１０には、ＷＷＷ閲覧システムを利用するためのブラウザである、３Ｄ地形表示プラットフォーム１１がインストールされている。３Ｄ地形表示プラットフォーム１１が起動されている端末装置１０からは、外部インターネット１３を介して各種ＷＷＷサーバに接続可能になっており、端末装置１０は、３Ｄ地形表示プラットフォーム１１の動作に伴って必要とされる背景地図情報等を、外部インターネット１３を介して取得可能に構成されている。
【００１７】
３Ｄ地形表示プラットフォーム１１は、３次元地形表示ソフトウェアプログラムであり、端末装置１０において実行されることにより、３次元地形表示機能を実現するものである。本明細書では、３次元地形表示ソフトウェアプログラムを端末装置１０が実行することにより実現される３次元地形表示機能を「３Ｄ地形表示プラットフォーム」と称する。３Ｄ地形表示プラットフォーム１１は、表示範囲情報に対応する地物データを読み出して、３Ｄ地形画像を生成して送信することにより、端末装置１０のディスプレイに３Ｄ地形画像を表示させるようになっている。
【００１８】
ここで「地物データ」とは、地図情報および衛星写真情報に基づいて作成された、道路、建物、地形などの地物を３次元的に表した２次元画像である。「表示範囲情報」とは、ユーザが端末装置１０上で実現される３Ｄ地形表示プラットフォーム１１を操作することによって生成される、３Ｄ地形の表示範囲を画定するための視点位置情報および縮尺情報である。視点位置情報には、視点の３次元座標（経度・緯度・高度）、視線（視線の向きを示すベクトル情報）等を含む。縮尺情報には、ブラウザに表示させるために読み出すべき地物データの範囲を定める情報を含む。
【００１９】
３Ｄ地形表示プラットフォーム１１としては、例えば、Ｇｏｏｇｌｅ（商標）社がインターネット上で提供するグーグルアース（Ｇｏｏｇｌｅ  Ｅａｒｔｈ  ＰＲＯ）（商標）が挙げられる。ただし、３Ｄ地形表示プラットフォーム１１は、３次元的に地形表示するためのヴァーチャル地球儀ソフトウェアで実現されるものであればよく、例示のグーグルアースに限られない。
【００２０】
本実施形態に係る基地局無線電波状態表示システム１は、３Ｄ地形画像にオーバーレイされる基地局無線電波状態画像を生成するシステムであり、次の特徴を備えている。
【００２１】
１）基地局情報（基地局の位置情報、無線電波放射方向等の多種多様な情報）を自動的に収集・生成すること。
２）収集・生成した情報を記憶したデータベースから３Ｄ地形表示プラットホームが実現される端末装置１０において、ユーザの操作により送信される要求に応答して、その応答に必要な情報を絞り込んで３Ｄ地形表示プラットフォーム１１にアウトプットすること。
【００２２】
図１に示すように、基地局無線電波状態表示システム１は、基地局システム４０に含まれる基地局情報データベース２０、およびシミュレーション画像データベース３０、動的画像生成サーバ５０、並びにパフォーマンスデータベース６０を備える。
【００２３】
基地局情報データベース２０は、無線基地局（以下、単に「基地局」という）の局情報（局名、型番、周波数、通信方式）、局位置（緯度・経度）、アンテナ高さ、アンテナ方向、アンテナ角度（物理的チルト・電気的チルト）、出力Ｐｏｗｅｒ、その他識別情報（ＰＣＩ・ＲＳＩ）等の必要な情報を格納するデータベースである。基地局情報データベース２０は、例えば、Ｎａｍｅ、Ｌｏｎｇｉｔｕｄｅ、Ｌａｔｉｔｕｄｅ、Ａｌｔｉｔｕｄｅ、Ｈｅｉｇｈｔ、オペレータ、ＦＲＥＱＵＥＮＣＹ  ＢＡＮＤ、運用、開業日等のフィールドでレコードが構成されるデータテーブルを有する。
【００２４】
シミュレーション画像データベース３０は、基地局の周辺の無線電波状態を表現するためのシミュレーション基本画像情報を格納する。シミュレーション基本画像情報は、例えば、基地局から放射される無線電波の空間的なカバレッジや強さを可視化するための画像データである。
【００２５】
動的画像生成サーバ５０は、基地局の位置情報とシミュレーション基本画像情報とに基づいて、３Ｄ地形表示プラットフォーム１１からの表示範囲情報に対応させた基地局無線電波状態画像（オーバレイ画像情報）を動的に生成する。
【００２６】
図１に示すように、動的画像生成サーバ５０は、３Ｄ地形表示プラットフォーム１１に接続される。動的画像生成サーバ５０は、３Ｄ地形表示プラットフォーム１１から送信される表示範囲情報に基づいて、当該表示範囲情報で特定される基地局情報を基地局情報データベース２０から取得する。基地局情報は、例えば、基地局の位置情報、無線電波放射方向等の多種多様な情報を含む。動的画像生成サーバ５０は、表示範囲情報が更新されるたびに、基地局情報データベース２０から更新された表示範囲情報に対応する基地局情報を自動的に収集・生成する。基地局情報は、非限定の例示として、ＣＳＶデータ２２である。
【００２７】
また、動的画像生成サーバ５０は、シミュレーション画像データベース３０から表示範囲情報で特定されるカバレッジ画像情報を自動的に収集・生成する。カバレッジ画像情報は、非限定の例示として、ＰＮＧ画像３１である。
【００２８】
さらに、動的画像生成サーバ５０は、シミュレーション画像データベース３０から表示範囲情報に対応するベストエリア画像３２を自動的に収集・生成する。ベストエリア画像３２は、非限定の例示として、サービスエリアを生成する無線電波が支配的な領域を画像表示するための着色された領域情報（ＰＮＧ画像）である。
【００２９】
図２は、動的画像生成サーバ５０から出力させた基地局無線電波状態画像を３Ｄ地形表示プラットフォーム１１に出力して、３Ｄ地形画像とオーバーレイさせて表示されるシミュレーション画像の表示例である。図２に示すように、ウィンドウ２００のバックグラウンドには、３Ｄ地形表示プラットフォーム１１が生成した３Ｄ地形画像２０２が表示される。３Ｄ地形画像２０２には、基地局無線電波状態画像がオーバーレイされて表示されている。基地局無線電波状態画像の非限定の例示として、図２には、基地局シンボル２０４、サービスエリア２０６ａ、２０６ｂ、２０６ｃ、サブサービスエリア２０６、基地局情報ウィンドウ２１０が表示されている。基地局シンボル２０４は、基地局のアンテナが設置される位置を示すシンボルである。サービスエリア２０６ａ、２０６ｂ、２０６ｃ(以下まとめて「２０６」と示す)は、基地局の３方向アンテナの各々から放射される無線電波の放射範囲を概略扇形に示す着色された領域情報である。サブサービスエリア２０８は、サービスエリア２０６以外の特殊な方向にサービスエリアを設けてある場合にその無線電波の放射範囲を示す着色された領域情報である。図２では、「東京スカイツリー」の展望台に向けて放射される無線電波を示している。基地局情報ウィンドウ２１０は、施設管理者がいずれかのサービスエリアにカーソルを合わせる等の特定操作をすることによって吹き出しウィンドウとして表示される無線基地局情報のリストである。当該基地局情報は、適宜基地局情報データベース２０から読み出されるデータである。図２に示されるように、ウィンドウ２００に含まれる基地局に対応する基地局情報が適宜参照され、画像表示されるようになっている。
【００３０】
シミュレーション画像は、種々の指標に基づく無線電波のカバレッジや強さを色彩分布させてオーバーレイ表示することが可能になっている。
【００３１】
図３は、そのような色彩分布させたシミュレーション画像の表示例である。図３に示すように、シミュレーション画像３００は、表示範囲が電信電界品質（ＲＳＲＱ：Ｒｅｆｅｒｅｎｃｅ  Ｓｉｇｎａｌ  Ｒｅｃｅｉｖｅｄ  Ｑｕａｌｉｔｙ）に応じた色彩分布で表示されている。電信電界強度の他、任意の指標、例えば、電信電界強度（ＲＳＲＰ：Ｒｅｆｅｒｅｎｃｅ  Ｓｉｇｎａｌ  Ｒｅｃｅｉｖｅｄ  Ｐｏｗｅｒ）なども適用可能である。
【００３２】
図４は、電波のベストエリア範囲を含むシミュレーション画像の表示例である。図４に示すように、シミュレーション画像４００には、エリアを生成する電波が支配的（Ｂｅｓｔ）なエリア範囲がベストエリア画像３２として色分けされた領域情報としてオーバーレイ表示される。
【００３３】
再び図１を参照して、動的画像生成サーバ５０は、パフォーマンスデータベース６０からパフォーマンスデータを取得・格納するためのパフォーマンス専用データベース５１を備えている。パフォーマンス専用データベース５１は、例えば、ＳＱＬサーバによって構成される。パフォーマンスデータベース６０は、電波の範囲内における品質を指標化したＫＰＩデータ（Ｋｅｙ  Ｐｅｒｆｏｒｍａｎｃｅ  Ｉｎｄｉｃａｔｏｒ）６１を格納している。
【００３４】
パフォーマンスデータベース６０としては、例えば、商用のドンタコスデータベースが挙げられるが、解析情報として役立てることができれば、例示のデータベースに限定されない。パフォーマンスデータは、過去のパフォーマンス履歴も動的にリスト表示可能であり、トレンド分析にも利用可能である。
【００３５】
図５は、ＬＴＥ項目の表示可能ＫＰＩデータ例の説明図である。図６は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）項目の表示可能ＫＰＩデータ例の説明図である。
【００３６】
施設管理者は、端末装置１２を操作することにより、必要に応じて、図５や図６に示すような、ＫＰＩデータを吹き出しウィンドウ表示させることが可能になっている。パフォーマンス専用データベース５１に格納されるＫＰＩデータは、定期的に、または、非定期に更新されるようになっている。例えば、週の最繁時のＫＰＩをセル単位で取得している。最繁時は、毎週土曜〜金曜の１週間（１６８時間）であり、ＬＴＥ項目のＡＶＥ＿ＲＲＣ＿ＣＵが最大の１時間の各種ＫＰＩである。
【００３７】
図７は、ＫＰＩデータを数値表示させたシミュレーション画像の表示例である。図８は、ＫＰＩデータをグラフ表示させたシミュレーション画像例である。図７に示すように、シミュレーション画像７００は、施設管理者が端末装置１２において所定の操作をすることにより吹き出し表示させたウィンドウ７０が表示されている。当該ウィンドウ７０には、指定した基地局における現時点でのＬＴＥパフォーマンス７１が表示される。図７において、グラフ表示ボタン７２をクリックすると、図８のシミュレーション画像８００に示されるように、別のウィンドウ８０が表示され、ウィンドウ８０内に、当該基地局に係るパフォーマンス履歴のグラフ８１が表示される。
【００３８】
再び図１を参照して、動的画像生成サーバ５０は、３Ｄ地形表示プラットフォーム１１から提供される表示範囲情報に応じて、基地局無線電波状態画像を表示させるための動的ファイル５２を生成するサーバ機能を有する。基地局無線電波状態画像は、レイヤ構造になっており、端末装置１２を操作する施設管理者の選択により、１以上のレイヤを重ねて表示させることが可能に構成されている。３Ｄ地形表示プラットフォーム１１として、例えば、Ｇｏｏｇｌｅ  Ｅａｒｔｈ  ＰＲＯ（商標）を採用する場合は、ＫＭＬファイル形式で動的ファイル５２を生成する。ここで、ＫＭＬ（Ｋｅｙｈｏｌｅ  Ｍａｒｋｕｐ  Ｌａｎｇｕａｇｅ）とは、アプリケーション・プログラムにおける三次元地理空間情報の表示を管理するために開発された、ＸＭＬベースのマークアップ言語である。ＫＭＬは、テキスト形式で、Ｇｏｏｇｌｅ  Ｅａｒｔｈ等に表示する要素（目印、イメージ、ポリゴン、３次元モデル、説明など）を記述する。
【００３９】
施設管理者が端末装置１２から当該基地局無線電波状態表示システム１を利用する場合、すなわち、３Ｄ地形表示プラットフォーム１１が最初に動的画像生成サーバ５０にアクセスする際には、パスワード５３が要求される。パスワードは、施設管理者に当該システムの利用を許可するために与えられている暗号である。
【００４０】
パスワードが既に登録されているものであることを確認したら、動的画像生成サーバ５０は、３Ｄ地形表示プラットフォーム１１から供給される表示範囲情報を参照して、表示範囲に含まれる基地局を特定する。次に、動的画像生成サーバ５０は、特定された基地局に対応するシミュレーション基本画像情報をシミュレーション画像データベース３０から読み出して、表示範囲情報に含まれる視点位置情報および縮尺情報に対応する基地局無線電波情報画像を立体画像として生成する。そして、動的画像生成サーバ５０は、生成した基地局無線電波情報画像を３Ｄ地形表示プラットフォーム１１に出力する。
【００４１】
＜基地局無線電波状態表示方法＞
次に、本実施形態に係る基地局無線電波状態表示方法について説明する。本実施形態に係る基地局無線電波状態表示方法は、基地局の無線電波状態を３Ｄ地形表示する基地局無線電波状態表示方法である。
【００４２】
図９は、本実施形態に係る基地局無線電波状態表示方法のフローチャートである。図９に示すように、まず、動的画像生成サーバ５０は、３Ｄ地形表示プラットフォームサーバ１０から提供された表示範囲情報を取得する（Ｓ１１０）。次に、動的画像生成サーバ５０は、表示範囲情報および基地局の位置情報を含む基地局情報に基づいて表示範囲に含まれる基地局を特定する（Ｓ１２０）。基地局情報は、基地局情報データベース２０を参照して取得する。次いで、動的画像生成サーバ５０は、シミュレーション画像データベース３０から特定された基地局周辺の無線電波状態のシミュレーション基本画像情報を取得するステップを実施する（Ｓ１３０）。次いで、動的画像生成サーバ５０は、シミュレーション画像データベース３０からカバレッジ画像情報としてＰＮＧ画像３１を自動的に収集・生成する（図１参照）。さらに、動的画像生成サーバ５０は、シミュレーション画像データベース３０からベストエリア画像３２を自動的に収集・生成する（図１参照）。
【００４３】
そして、動的画像生成サーバ５０は、表示範囲情報およびシミュレーション基本画像情報に基づいて、表示範囲に含まれる基地局周辺における無線電波状態を表現する基地局無線電波状態画像を生成する（Ｓ１４０）。動的画像生成サーバ５０は、３Ｄ地形表示プラットフォームサーバ１０から提供される表示範囲情報に応じて、動的ファイル５２を生成する（図１参照）。
【００４４】
最後に、動的画像生成サーバ５０は、基地局無線電波状態画像を前記３Ｄ地形表示プラットフォームサーバ１０に提供する（Ｓ１５０）。３Ｄ地形表示プラットフォームサーバ１０は、３Ｄ地形表示プラットフォームに当該基地局無線電波状態画像をオーバーレイさせて表示する。
【００４５】
（本実施形態の利点）
本実施形態に係る基地局無線電波状態表示システム、基地局無線電波状態表示プログラム、および基地局無線電波状態表示方法によれば、以下の利点を有する。
【００４６】
（１）本実施形態によれば、３Ｄ地形表示プラットホームを利用して、基地局周辺の無線電波状態情報を３Ｄの視覚的情報として直感的に把握することが可能な画像を提供できる。
【００４７】
（２）動的画像生成サーバ５０は、３Ｄ地形表示プラットフォームサーバ１０とは独立して動作するため、３Ｄ地形表示プラットフォームとは独立して自由に改変や改良等のアップデートをすることができる。
【００４８】
以下、本実施形態に係る基地局無線電波状態表示システム利用の具体的な実施例について説明する。
【実施例１】
【００４９】
実施例１として、図１０から図１２に基づき、通信状態に関するクレームがユーザから寄せられた場合に、本実施形態に係る基地局無線電波状態表示システム１を利用してクレーム対応をする場合の具体的な適用例を説明する。
【００５０】
図１０は、クレーム位置の表示例である。図１１は、ストリートビューの表示例である。ユーザからクレームが寄せられた場合、基地局無線電波状態表示システム１は、クレーム発生位置を示すシミュレーション画像を施設管理者の端末装置１２の３Ｄ地形表示プラットフォームに表示させる。例えば、図１０に示すように、シミュレーション画像１０００において、クレームの発生位置は、星印アイコン１０１の位置として示される。
【００５１】
３Ｄ地形表示プラットフォームとして、例えば、Ｇｏｏｇｌｅ  Ｅａｒｔｈ  ＰＲＯを採用する場合は、クレーム発生位置である星印アイコン１０１が選択、すなわち、ダブルクリックされることにより、図１１に示すように、クレーム発生位置に対応するストリートビュー（Ｓｔｒｅｅｔ  Ｖｉｅｗ）１１００に移行する。ストリートビュー１１００により、施設管理者の端末装置１２には、クレーム発生位置周辺の３Ｄ画像が表示される。
【００５２】
図１１に示すように、ＳｔｒｅｅｔＶｉｅｗ１１００上でも、動的に生成されたカバーエリア２０６等の基地局無線電波状態画像がオーバーレイ表示される。これにより、施設管理者は、基地局のアンテナの位置、放射方向、放射角度などが確認でき、クレームの発生位置と基地局との位置関係が把握できる。例えば、クレームの発生位置からアンテナの位置までの見通しの有無を把握することができ、障害物の影響により無線品質が低下しているかの確認を行うことができる。
【００５３】
図１２は、多数の基地局からのサービスエリアの分布（勢力エリア）を動的に生成した例の説明図である。基地局無線電波状態表示システム１は、クレーム発生位置を含むシミュレーション画像としてベストエリア画像をオーバーレイ表示させる。例えば、図１２に示すように、ベストエリア画像をオーバーレイ表示させることにより、多数の勢力エリアを確認することができる。その結果、例えば、クレームの発生位置１０１は、多数の勢力エリアの狭間であることが判明し、無線以外の設計パラメータを原因としてクレームが発生したことの可能性を疑い、関係部署に、調査確認を依頼することが可能となる。このように、本実施形態に係る基地局無線電波状態表示システム１によれば、目には見えない無線環境について、シミュレーション画像、現実のパフォーマンス情報、および３Ｄ地形表示機能を重ね合わせて動的に表示することで効率的に電波状態を解析することができる。
【実施例２】
【００５４】
次いで実施例２として、図１３から図１５に基づき、音声切断が多発した場合に、本実施形態に係る基地局無線電波状態表示システム１を利用して問題を解析する場合の具体的な適用例を説明する。
【００５５】
図１３は、音声切断の多発位置の特定例である。図１４は、ＮＣｅｌｌ（Ｎｅｉｇｈｂｏｕｒ  Ｃｅｌｌ）地図出力機能の実行例である。図１５は、Ｎｅｉｇｈｂｏｕｒセル設計のリレーションの可視化例である。ここで、Ｎｅｉｇｈｂｏｕｒセル設定とは、移動体端末が移動していた場合でも、通信が切断されることなくハンドオーバーが適切に行える互いに隣接する基地局の組合わせに関する設定をいう。
【００５６】
図１３に示すように、ユーザからの音声切断が多発するとの報告が寄せられた場合、基地局無線電波状態表示システム１は、音声切断現場をシミュレーション画像１３００として表示させる。図１３において、音声切断が多発している場所は、星印アイコン１０２の位置である。このシュミレーション画像１３００により、施設管理者は、シミュレーション画像に表示された星印アイコン１０２の位置が見通しの良いポイントであることを確認する。そして、施設管理者は、この音声切断の原因としては、無線環境が劣化している可能性は低く、むしろＮｅｉｇｈｂｏｕｒ設定（通信中の移動が可能となる隣接関係の設定）に原因があることを疑うことが可能となる。
【００５７】
次に、３Ｄ地形表示プラットフォームとして、例えば、Ｇｏｏｇｌｅ  Ｅａｒｔｈ  ＰＲＯ（商標）を採用する場合は、施設管理者は、該当する基地局の基地局シンボル２０４を選択する。基地局無線電波状態表示システム１は、図１４のシミュレーション画像１４００に示すように、基地局情報ウィンドウ１４０を表示する。そこで、施設管理者は、「ＮＣｅｌｌ地図出力」ボタン１４２を押下する。「ＮＣｅｌｌ地図出力」ボタン１４２が押下されると、基地局無線電波状態表示システム１は、Ｎｅｉｇｈｂｏｕｒセル設計のリレーションをデータベースから取得し、動的にＫＭＬファイルを生成し、Ｎｅｉｇｈｂｏｕｒセル設計のリレーションを表示するためのレイヤをさらに追加でオーバーレイ表示させる。
【００５８】
Ｎｅｉｇｈｂｏｕｒセル設計のリレーションをオーバレイ表示させると、図１５に示すような、動的生成されたＮｅｉｇｈｂｏｕｒセル設計のリレーション画像１５００が表示される。このようにＮｅｉｇｈｂｏｕｒセル設計のリレーションを可視化させると、例えば、施設管理者は、該当する切断多発エリアの周波数間のＮｅｉｇｈｂｏｕｒセル設定が不十分であることを発見することができる。ここで、図１５の凡例欄１５０を参照すると、「対向Ｎｃｅｌｌ無し」アイコン１５２が片方向設定であることが判る。その結果、施設管理者は、音声切断多発の位置において片方向設定しかされていないことが今回の音声切断の直接原因であると判断することができる。
【実施例３】
【００５９】
まず、図１６から図１８に基づき、実施例３として、ハイパーテキスト形式ファイルを動的に作成することによって、異なる管理部門間においてデータ連携を図る場合の具体的な適用例を説明する。図１６は、ＮＣｅｌｌ一覧表示の実行例である。図１７は、Ｎｅｉｇｈｂｏｕｒセル設定のデータ例である。図１８は、ＣＳＶダウンロード例である。
【００６０】
図１６のシミュレーション画像１６００に示すように、Ｎｅｉｇｈｂｏｕｒセル設定をリストとして出力したい場合、施設管理者は、基地局情報ウィンドウ１６０の「ＮＣＥＬＬ一覧表示」ボタン１６２を選択する。３Ｄ地形表示プラットフォームとして、例えば、Ｇｏｏｇｌｅ  Ｅａｒｔｈ  ＰＲＯを採用する場合、基地局無線電波状態表示システム１は、Ｇｏｏｇｌｅ  Ｅａｒｔｈ  ＰＲＯ上で選択された対象に対するＮＣＥＬＬ一覧リスト（図１７参照）をデータベースから取得し、対象となるリストを表示させるためのハイパーテキスト形式ファイルを動的に生成し、ブラウザ上に表示させる。ＮＣＥＬＬ一覧リストを動的に生成させるので、異なる管理部門で利用している端末装置において、Ｇｏｏｇｌｅ  Ｅａｒｔｈ  ＰＲＯプラットフォームとは別のプラットフォームで動作するブラウザが利用されていても、当該リストを適切に表示させることができる。また、それぞれ独立したブラウザ上で動作するＪａｖａ  Ｓｃｒｉｐｔ(登録商標)等をそれぞれの端末装置に実装させることが可能である。
【００６１】
この例では、リストをＣＳＶとして出力させるＪａｖａ  Ｓｃｒｉｐｔを動的に生成するハイパーテキストを起動させるので、施設管理者は、図１８に示すように、「ＣＳＶダウンロード」アイコン１８２を選択させることにより、ＮＣＥＬＬ一覧をリスト出力することが可能となる。
【００６２】
＜他の実施形態＞
本発明は、上記各実施形態に限定されることなく種々に変形して適用することが可能である。すなわち、上記発明の各実施形態を通じて説明された実施例や応用例は、用途に応じて適宜に組み合わせて、または変更もしくは改良を加えて用いることができ、本発明は上述した実施形態の記載に限定されるものではない。そのような組み合わせまたは変更もしくは改良を加えた形態も本発明の技術的範囲に含まれ得ることが、特許請求の範囲の記載から明らかである。
【００６３】
例えば、上記の実施形態では、３Ｄ地形表示プラットフォームとして、インタネット上に利用可能なＧｏｏｇｌｅ  Ｅａｒｔｈ  ＰＲＯ（商標）を採用しているが、例示のＧｏｏｇｌｅ  Ｅａｒｔｈ  ＰＲＯ（商標）に限定されず、３Ｄ地形表示プラットフォームであれば、動的画像生成サーバ５０で動的に生成した基地局無線電波状態画像を適用可能である。
【００６４】
また、上記の実施形態では、基地局情報データベース２０とシミュレーション画像データベース３０が同一の基地局システム４０に備えられているが、別個のシステムに設けられていても構わない。
【符号の説明】
【００６５】
１…基地局無線電波状態表示システム、１０…３Ｄ地形表示プラットフォーム、２０…基地局情報データベース、３０…シミュレーション画像データベース、５０…動的画像生成サーバ、５１…パフォーマンス専用データベース、６０…パフォーマンスデータベース
【図１】
2018025917.tif 000003
【図２】
2018025917.tif 000004
【図３】
2018025917.tif 000005
【図４】
2018025917.tif 000006
【図５】
2018025917.tif 000007
【図６】
2018025917.tif 000008
【図７】
2018025917.tif 000009
【図８】
2018025917.tif 000010
【図９】
2018025917.tif 000011
【図１０】
2018025917.tif 000012
【図１１】
2018025917.tif 000013
【図１２】
2018025917.tif 000014
【図１３】
2018025917.tif 000015
【図１４】
2018025917.tif 000016
【図１５】
2018025917.tif 000017
【図１６】
2018025917.tif 000018
【図１７】
2018025917.tif 000019
【図１８】
2018025917.tif 000020